(57)【要約】【課題】  粗大物を含む異種物混交の建築廃材を粗選別するのに適した粗選別機を備えることにより、事前のヤード選別を廃止でき、安定操業と処理効率の向上した建築廃材の選別システムを提供する。【解決手段】  円周面上の略全面に多数のポット状凹部が設けられ且つ回転自在に軸支された円筒形ドラムと、該円筒形ドラムの回転方向前方下部に設けられたオーバーサイズ用排出口と、該円筒形ドラムの直下に設けられたアンダーサイズ用排出口とを有し、所定サイズ以上の建築廃材をオーバーサイズ用排出口から排出し、所定サイズ以下の建築廃材をアンダーサイズ用排出口から排出するようにされたポット型粗選別機を備え、該粗選別機によって、投入された建築廃材をオーバーサイズ廃材とアンダーサイズ廃材とに粗選別した後、該粗選別されたオーバーサイズ廃材とアンダーサイズ廃材に対して夫々別々に精選別を行うようにした。【選択図】  図１
2005279568.tif 000002
【特許請求の範囲】
【請求項１】
円周面上の略全面に多数のポット状凹部が設けられ且つ回転自在に軸支された円筒形ドラムと、該円筒形ドラムの回転方向前方下部に設けられたオーバーサイズ用排出口と、該円筒形ドラムの直下に設けられたアンダーサイズ用排出口とを有し、所定サイズ以上の建築廃材をオーバーサイズ用排出口から排出し、所定サイズ以下の建築廃材をアンダーサイズ用排出口から排出するようにされたポット型粗選別機を備え、該粗選別機によって、投入された建築廃材をオーバーサイズ廃材とアンダーサイズ廃材とに粗選別した後、該粗選別されたオーバーサイズ廃材とアンダーサイズ廃材に対して夫々別々に精選別を行うようにしたことを特徴とする建築廃材の選別システム。
【請求項２】
長手方向の一端から他端に向けて下方に傾斜にしつつ扇状に拡がるように配置され且つ回転自在に軸支された２本以上の長尺円柱と、該長尺円柱のうち両側端に位置する長尺円柱に沿って上方に立設されたガイド側板と、該長尺円柱の他端外方に配置されたオーバーサイズ用排出口と、該長尺円柱の下方に配置されたアンダーサイズ用排出口とを有し、所定サイズ以上の建築廃材をオーバーサイズ用排出口から排出し、所定サイズ以下の建築廃材をアンダーサイズ用排出口から排出するようにされた幅選別型粗選別機を備え、該粗選別機によって、投入された建築廃材をオーバーサイズ廃材とアンダーサイズ廃材とに粗選別した後、該粗選別されたオーバーサイズ廃材とアンダーサイズ廃材に対して夫々別々の精選別を行うようにしたことを特徴とする建築廃材の選別システム。
【請求項３】
前記粗選別機における粗選別の所定サイズは、直径５０〜４００ｍｍであることを特徴とする請求項１又は２記載の建築廃材の選別システム。
【請求項４】
前記オーバーサイズ廃材に対する精選別は、作業者による手選別により、廃材の種別毎の選別を行うことを特徴とする請求項１〜３のいずれか１項記載の建築廃材の選別システム。
【請求項５】
前記アンダーサイズ廃材に対する精選別は、該アンダーサイズ廃材をサイズ選別機によってサイズ選別を行い、所定サイズを超える第１アンダーサイズ廃材と、所定サイズ以下の第２アンダーサイズ廃材とに選別し、第１アンダーサイズ廃材に対しては作業者による手選別によって廃材の種別毎の選別を行い、第２アンダーサイズ廃材に対しては比重差選別機によって廃材の比重差により重量物と軽量物とに選別することを特徴とする請求項１〜４のいずれか１項記載の建築廃材の選別システム。
【請求項６】
前記サイズ選別機におけるサイズ選別の所定サイズは、直径２０〜８０ｍｍであることを特徴とする請求項５記載の建築廃材の選別システム。
【請求項７】
円周面上の略全面に多数のポット状凹部が設けられ且つ回転自在に軸支された円筒形ドラムと、該円筒形ドラムの回転方向前方下部に設けられたオーバーサイズ用排出口と、該円筒形ドラムの直下に設けられたアンダーサイズ用排出口とを有し、所定サイズ以上の建築廃材をオーバーサイズ用排出口から排出し、所定サイズ以下の建築廃材をアンダーサイズ用排出口から排出するようにしたことを特徴とするポット型粗選別機。
【請求項８】
長手方向の一端から他端に向けて下方に傾斜にしつつ扇状に拡がるように配置され且つ回転自在に軸支された２本以上の長尺円柱と、該長尺円柱のうち両側端に位置する長尺円柱に沿って上方に立設されたガイド側板と、該長尺円柱の他端外方に配置されたオーバーサイズ用排出口と、該長尺円柱の下方に配置されたアンダーサイズ用排出口とを有し、所定サイズ以上の建築廃材をオーバーサイズ用排出口から排出し、所定サイズ以下の建築廃材をアンダーサイズ用排出口から排出するようにしたことを特徴とする幅選別型粗選別機。
【発明の詳細な説明】
【技術分野】
【０００１】
本発明は、建築物の解体等によって生じる建築廃材を種類毎に選別して再利用又は廃棄するための選別システムに関する。
【背景技術】
【０００２】
建築物の解体等によって生じる建築廃材の内訳は、（ａ）木片、段ボール等の紙片、布片、プラスチック片、ゴム片等々の可燃資源物、（ｂ）コンクリート片、アスファルト片、石、鉄筋等の金属片、銅等の非鉄金属片、ガラス片、陶磁器片等々の不燃資源物、（ｃ）土砂、塵埃等々の廃棄物が主な内容である。一般的に、このうちの略７５％程度は回収により再利用可能であり、略２５％程度は焼却等により廃棄処分される。また、建築廃材の略３０％程度は雨等により水分を含み湿った状態となっている。
【０００３】
これらの建築廃材は、トラック等で廃材処理プラントに運び込まれるが、直径３０ｍｍ以下の小径物から直径３００ｍｍ以上の大径物まで種々のサイズを有し、また、長尺物、板状物、塊状物、粒状物、等々の形状を有するものであり、廃材処理プラントで稼働する各種選別機による自動的な選別処理に不適当な粗大物が多く含まれているものである。従って、これをそのまま廃材処理プラントに投入すると各種選別機の目詰まり等を生じて動作不良や故障の原因となる。そのため、事前に、運び込まれた建築廃材を廃材処理プラントの敷地に撒き出して、各種選別機による選別処理に不適当な粗大物を人手や重機によって分別する、いわゆるヤード選別が行われている（特許文献１の従来技術参照）。
【０００４】
このヤード選別は、建築廃材の山から作業者が人手や重機の操作によって行う作業であるため、作業者の労力負担が大きく且つ時間も掛かるので、選別処理の能率化及び迅速化を図る上で大きな問題である。そこで、大型振動篩い機によってオーバーサイズ廃棄物とアンダーサイズ廃棄物とに分離し、夫々をコンベアで搬送して、その搬送路で作業者による手選別を行うことが提案されている（特許文献１参照）。しかし、振動篩い機では例えそれが大型であっても、粗大物が混在し、水分を含んで湿っていたりする異種物混交の建築廃材にあっては篩いの目詰まり等を生じ得るものであり、安定操業が困難で処理効率が悪い等の問題があった。
【特許文献１】特開平１１−１９５９３号公報
【特許文献２】特開昭５４−１５７３７８号公報
【特許文献３】特開平１１−２６２７３３号公報
【特許文献４】特公平７−１４５０８号公報
【発明の開示】
【発明が解決しようとする課題】
【０００５】
そこで、本発明は上記問題点に鑑みてなされたものであり、粗大物を含む異種物混交の建築廃材を粗選別するのに適した粗選別機を備えることにより、事前のヤード選別を廃止でき、安定操業と処理効率の向上した建築廃材の選別システム及びこれを可能とする粗選別機を提供することを目的とするものである。
【課題を解決するための手段】
【０００６】
上記課題を解決するために、本発明の第１の態様の選別システムは、円周面上の略全面に多数のポット状凹部が設けられ且つ回転自在に軸支された円筒形ドラムと、該円筒形ドラムの回転方向前方下部に設けられたオーバーサイズ用排出口と、該円筒形ドラムの直下に設けられたアンダーサイズ用排出口とを有し、所定サイズ以上の建築廃材をオーバーサイズ用排出口から排出し、所定サイズ以下の建築廃材をアンダーサイズ用排出口から排出するようにされたポット型粗選別機を備え、該粗選別機によって、投入された建築廃材をオーバーサイズ廃材とアンダーサイズ廃材とに粗選別した後、該粗選別されたオーバーサイズ廃材とアンダーサイズ廃材に対して夫々別々に精選別を行うようにしたことを特徴とする。
【０００７】
本発明の第２の態様の選別システムは、長手方向の一端から他端に向けて下方に傾斜にしつつ扇状に拡がるように配置され且つ回転自在に軸支された２本以上の長尺円柱と、該長尺円柱のうち両側端に位置する長尺円柱に沿って上方に立設されたガイド側板と、該長尺円柱の他端外方に配置されたオーバーサイズ用排出口と、該長尺円柱の下方に配置されたアンダーサイズ用排出口とを有し、所定サイズ以上の建築廃材をオーバーサイズ用排出口から排出し、所定サイズ以下の建築廃材をアンダーサイズ用排出口から排出するようにされた幅選別型粗選別機を備え、該粗選別機によって、投入された建築廃材をオーバーサイズ廃材とアンダーサイズ廃材とに粗選別した後、該粗選別されたオーバーサイズ廃材とアンダーサイズ廃材に対して夫々別々の精選別を行うようにしたことを特徴とする。
【０００８】
前記粗選別機における粗選別の所定サイズは、直径５０〜４００ｍｍであることが好ましい。この範囲で粗選別後の精選別を行う選別機の処理能力等に応じて適宜選択すればよい。
【０００９】
前記オーバーサイズ廃材に対する精選別は、作業者による手選別により、廃材の種別毎の選別を行うことが好ましい。オーバーサイズ廃材は、サイズも大きく重いものが多いので、各種選別機による自動的な選別処理に適していないが、人手によれば容易に廃材の種別を判別できるからである。
【００１０】
前記アンダーサイズ廃材に対する精選別は、該アンダーサイズ廃材をサイズ選別機によってサイズ選別を行い、所定サイズを超える第１アンダーサイズ廃材と、所定サイズ以下の第２アンダーサイズ廃材とに選別し、第１アンダーサイズ廃材に対しては作業者による手選別によって廃材の種別毎の選別を行い、また、第２アンダーサイズ廃材に対しては比重差選別機によって廃材の比重差により重量物と軽量物とに選別することが好ましい。該サイズ選別機におけるサイズ選別の所定サイズは、直径２０〜８０ｍｍ程度であることが好ましい。この範囲でサイズ選別機によるサイズ選別後の精選別を行う選別機の処理能力等に応じて適宜選択すればよい。
【００１１】
また、本発明のポット型粗選別機は、円周面上の略全面に多数のポット状凹部が設けられ且つ回転自在に軸支された円筒形ドラムと、該円筒形ドラムの回転方向前方下部に設けられたオーバーサイズ用排出口と、該円筒形ドラムの直下に設けられたアンダーサイズ用排出口とを有し、所定サイズ以上の建築廃材をオーバーサイズ用排出口から排出し、所定サイズ以下の建築廃材をアンダーサイズ用排出口から排出するようにしたことを特徴とする。
【００１２】
更に、本発明の幅選別型粗選別機は、長手方向の一端から他端に向けて下方に傾斜にしつつ扇状に拡がるように配置され且つ回転自在に軸支された２本以上の長尺円柱と、該長尺円柱のうち両側端に位置する長尺円柱に沿って上方に立設されたガイド側板と、該長尺円柱の他端外方に配置されたオーバーサイズ用排出口と、該長尺円柱の下方に配置されたアンダーサイズ用排出口とを有し、所定サイズ以上の建築廃材をオーバーサイズ用排出口から排出し、所定サイズ以下の建築廃材をアンダーサイズ用排出口から排出するようにしたことを特徴とする。
【発明の効果】
【００１３】
本発明によれば、粗大物を含む異種物混交の建築廃材を粗選別するのに適した粗選別機を備えることにより、事前のヤード選別を廃止でき、安定操業と処理効率の向上した建築廃材の選別システム及びこれを可能とする粗選別機を提供することができるという大きな効果を奏する。
【発明を実施するための最良の形態】
【００１４】
以下に本発明の実施の形態を添付図面に基づいて説明するが、図示例は例示的に示されたもので、本発明の技術思想から逸脱しない限り種々の変形が可能なことは言うまでもない。
【００１５】
図１は、本発明の建築廃材の選別システムの全体的構成の概略説明図である。図２は、本発明の選別システムで用いる粗選別機であって、第１の態様のポット型粗選別機を示す概略説明図であり、（ａ）はその平面図、（ｂ）はその側面図である。図３は、本発明の選別システムで用いる粗選別機であって、第２の態様の幅選別型粗選別機を示す概略説明図であり、（ａ）はその平面図、（ｂ）はその側面図である。図中、符号２は本発明の選別システムであり、符号４は粗選別機、符号６はサイズ選別機、符号８は比重差選別機、符号１０は粒径選別機、符号Ｗは建築廃材である。
【００１６】
まず、本発明システムの全体的構成について図１に基づいて説明する。図１において、建築廃材ＷはトラックＴに積み込まれて、本発明の選別システム２が設置されている廃材処理プラントに搬入されてくる。ここで、従来の選別システムであれば、各種選別機による選別に不適当な粗大物等の廃材を事前に作業者によるヤード選別によって分別することとなるが、本発明の選別システム２にあっては、これを不要とし、粗選別機４によってヤード選別の代替とするものである。
【００１７】
即ち、粗選別機４によって、投入された建築廃材Ｗをオーバーサイズ廃材Ｗｏとアンダーサイズ廃材Ｗｕとに粗選別し、この粗選別されたオーバーサイズ廃材Ｗｏとアンダーサイズ廃材Ｗｕの夫々に対して別々の精選別を行うものである。粗選別機４における粗選別の所定サイズとしては、その後の精選別を行う選別機の処理能力等に応じて適宜選択すればよいが、好ましくは直径５０〜４００ｍｍ程度、更に好ましくは９０〜２００ｍｍ程度であり、例えば、直径１００ｍｍを超える建築廃材Ｗをオーバーサイズ廃材Ｗｏとし、直径１００ｍｍ以下の建築廃材Ｗをアンダーサイズ廃材Ｗｕとして選別する。アンダーサイズ廃材Ｗｕにあまり大きい廃材が含まれると、その後の精選別を行う選別機の処理能力を超えてしまい、動作不良や故障の原因となるし、オーバーサイズ廃材Ｗｏにあまり小さい廃材が含まれると、その後の作業者による手選別の労力負担が過大となるからである。なお、粗選別機４の構造等についての詳細は後述する。
【００１８】
粗選別機４により粗選別された後のオーバーサイズ廃材Ｗｏとアンダーサイズ廃材Ｗｕに対して夫々別々に行われる精選別としては、種々の態様を採用することができるが、好ましくは以下の通りである。
【００１９】
オーバーサイズ廃材Ｗｏに対する精選別は、作業者による手選別（ストックヤード選別）により、廃材の種別毎の選別を行う。即ち、粗選別機４によって所定サイズ（例えば直径１５０ｍｍ）を超えるものをオーバーサイズ廃材Ｗｏとして選別し、これをベルトコンベアＢ１で搬送されるようにすると、ベルトコンベアＢ１の周囲には廃材の種別毎に役割分担された作業者が配置されると共に、廃材の種別毎のストックヤードＳ１，Ｓ２，Ｓ３，Ｓ４が用意されており、作業者による手選別によって、廃材を種別（木片、プラスチック片、コンクリート片、金属片、ガラス片、等々）毎にストックヤードＳ１，Ｓ２，Ｓ３，Ｓ４に選別していくものである。なお、手選別で残った廃材は廃棄処分とするためダストＤ１として蓄積すればよい。
【００２０】
アンダーサイズ廃材Ｗｕに対する精選別は、更に、アンダーサイズ廃材Ｗｕをサイズ選別機６によってサイズ選別を行い、所定サイズを超える第１アンダーサイズ廃材Ｗｕ１と、所定サイズ以下の第２アンダーサイズ廃材Ｗｕ２とに選別し、第１アンダーサイズ廃材Ｗｕ１に対しては作業者による手選別（ストックヤード選別）によって廃材の種別毎の選別を行い、また、第２アンダーサイズ廃材Ｗｕ２に対しては比重差選別機８によって廃材の比重差により重量物と軽量物とに選別することにより行われる。
【００２１】
サイズ選別機６におけるサイズ選別の所定サイズとしては、その後の選別を行う選別機の処理能力等に応じて適宜選択すればよいが、好ましくは直径２０〜８０ｍｍ程度、更に好ましくは、３０〜６０ｍｍ程度で、アンダーサイズ廃材Ｗｕを第１アンダーサイズ廃材Ｗｕ１と第２アンダーサイズ廃材Ｗｕ２とに選別する。アンダーサイズ廃材Ｗｕ２にあまり大きい廃材が含まれると、その後の精選別を行う選別機の処理能力を超えてしまい、動作不良や故障の原因となるし、第１アンダーサイズ廃材Ｗｕ１にあまり小さい廃材が含まれると、その後の作業者による手選別の労力負担が過大となる。
【００２２】
サイズ選別機６としては、廃材のサイズによって選別を行い得るものであれば特に限定されないが、公知のトロンメル選別機を利用することができる。公知のトロンメル選別機としては、例えば特許文献２を挙げることができる。特許文献２に記載されている如く、トロンメル選別機は、被選別物（廃材）の投入口側から他端側に向けて下方に徐々に傾斜する円筒形の篩が回動しており、被選別物（廃材）が投入されると、回動する円筒形篩によって、粗粒物については篩上（円筒形篩の内側）に分離して側方シュートから搬出し、細粒物については篩下（円筒形篩の外側）に分離して下方シュートから搬出するというものである。
【００２３】
第１アンダーサイズ廃材Ｗｕ１に対する精選別は、作業者による手選別（ストックヤード選別）により、廃材の種別毎の選別を行う。即ち、サイズ選別機６であるトロンメル選別機によって所定サイズ（例えば直径４０ｍｍ）を超えるものを第１アンダーサイズ廃材Ｗｕ１として選別して側方シュートから搬出し、これをベルトコンベアＢ２で搬送されるようにすると、ベルトコンベアＢ２の周囲には廃材の種別毎に役割分担された作業者が配置されると共に、廃材の種別毎のストックヤードＳ５，Ｓ６，Ｓ７，Ｓ８が用意されており、作業者による手選別によって、廃材を種別（木片、プラスチック片、コンクリート片、ガラス片、等々）毎にストックヤードＳ５，Ｓ６，Ｓ７，Ｓ８に選別していくものである。なお、金属片等の磁性物については、エプロンコンベアＡ１及びベルトコンベアＢ２による搬送途中で、磁力選別機１１，１２によって選別するようにすれば、作業者による手選別を行う必要はない。なお、磁力選別機１１，１２としては、公知の磁選機（磁力選別機）を用いることができ、また、ドラム式のものでも吊り下げ式のものでもよい。
【００２４】
第２アンダーサイズ廃材Ｗｕ２に対する精選別は、比重差選別機８によって廃材の比重差により重量物と軽量物とに選別を行う。即ち、サイズ選別機６であるトロンメル選別機によって所定サイズ（例えば４０ｍｍ）以下のものを第２アンダーサイズ廃材Ｗｕ２として下方シュートから搬出し、これをベルトコンベアＢ３で搬送して、比重差選別機８のホッパーに投入し、比重差による選別を行う。
【００２５】
比重差選別機８としては、廃材の比重によって選別を行い得るものであれば特に限定されないが、公知の比重差選別機を利用することができる。公知の比重差選別機としては、例えば本願出願人の提案による特許文献３を挙げることができる。特許文献３に記載されている如く、比重差選別機は、振動箱内に通気用多孔を穿設した選別移動床（パンチング振動板）が傾斜して設けられており、該選別移動床の下方から空気を該選別移動床面に吹き上げて、該選別移動床に振動を作用させることにより、比重や重量の異なる物が混在する被選別材料につき、重量物を該選別移動床の上端方向に、軽量物を該選別移動床の下端方向に分離移動せしめるというものである。従って、比重差選別機８では、上端方向のシュートから石、コンクリート片、アスファルト片等の重量物Ｗｕ２１が搬出され、下端方向のシュートから木片やプラスチック片等の軽量物Ｗｕ２２が搬出され、最下方のシュートからは選別に適さない微細物Ｗｕ２３が搬出される。なお、比重差選別機８は大量の空気が送風されるため集塵機１５により塵埃の除去を行うことが望ましい。
【００２６】
比重差選別機８から搬出された軽量物Ｗｕ２２については、更に粒径選別機９によって、再生利用可能な大粒径物Ｗｕ２２１と再生利用に不適当な小粒径物Ｗｕ２２２とに選別される。粒径選別機９としては、廃材の粒径によって選別を行い得るものであれば特に限定されないが、公知の粒径選別機を利用することができ、公知の粒径選別機としては、例えば本願出願人の提案による特許文献４を挙げることができる。特許文献４に記載されている如く、粒径選別機は、多数のパンチング孔を穿孔したパンチング板が内装されている篩網枠装置を前後方向に振動せしめて、大粒径物をパンチング板上に、小粒径物をパンチング板下に篩い分けするものである。粒径選別機９による選別によって再生利用可能な大粒径物Ｗｕ２２１についてはベルコンベアＢ６で搬送されてコンテナＣ１に収納される。他方、比重差選別機８から搬出された重量物Ｗｕ２１、微細物Ｗｕ２３及び粒径選別機９から搬出された小粒径物Ｗｕ２２２については、ベルトコンベアＢ５で搬送されて廃棄処分となるダストＤ２として蓄積される。
【００２７】
なお、第２アンダーサイズ廃材Ｗｕ２が雨水等によって湿っているような場合には、比重差選別機８による比重選別に適さないので、一時的に、ベルトコンベアＢ３を逆回転させてベルトコンベアＢ４により搬送し、一時保管廃材Ｗｔとして保管する。一時保管廃材Ｗｔは天日干しする等して乾燥させてからエプロンコンベアＡ１の受けホッパー５に再度投入するようにすればよい。
【００２８】
また、前述した如く、第１アンダーサイズ廃材Ｗｕ１に対する作業者による手選別（ストックヤード選別）を行った後の残りの廃材に対しても、更に選別を行うことが望ましい。この場合、上述したように、第２アンダーサイズ廃材Ｗｕ２に対して、比重差選別機８及び粒径選別機９によって選別を行う場合と略同様に行えばよいが、第１アンダーサイズ廃材Ｗｕ１は、総じて第２アンダーサイズ廃材Ｗｕ２よりもサイズが大きいので、予め破砕機１６により比重差選別機８及び粒径選別機９による選別に適したサイズまで廃材を破砕するようにする。そして、破砕後の第１アンダーサイズ廃材Ｗｕ１をエプロンコンベアＡ２により搬送して、比重差選別機１８に投入するようにすればよい。
【００２９】
比重差選別機１８及びその後の粒径選別機１９による選別は、上述した比重差選別機８及び粒径選別機９の場合と同様であるので再度の詳細な説明は省略するが、即ち、比重差選別機１８により重量物Ｗｕ１１、軽量物Ｗｕ１２及び微細物Ｗｕ１３に選別し、軽量物Ｗｕ１２については更に粒径選別機１９により大粒径物Ｗｕ１２１と小粒径物Ｗｕ１２２とに選別し、再利用可能な大粒径物Ｗｕ１２１についてはベルトコンベアＢ８で搬送してコンテナＣ２に収納し、その他の重量物Ｗｕ１１、微細物Ｗｕ１３及び小粒径物Ｗｕ１２２については廃棄処分とするためベルトコンベアＢ７で搬送してダストＤ３として蓄積される。
【００３０】
次に、本発明の第１の態様の選別システムで用いられる粗選機について図２に基づいて説明する。図中、符号４ａはポット型粗選別機である。ポット型粗選別機４ａは、円筒形ドラム２０を備え、この円筒形ドラム２０は回転軸２２に軸支されて図示しないモータにより回動される。円筒形ドラム２０の円周面上の略全面には多数のポット状凹部２４が設けられている。ポット状凹部２４は、外方が開放端とされ内方が閉塞端とされた筒状の凹部であり、深鍋状凹部、カップ状凹部或いは壺状凹部ともいうことができるものである。ポット状凹部２４は、円筒形ドラム２０の内側に貫通はしないので、貫通孔ではない。また、ポット状凹部２４としては、筒状であれば円筒状や角筒状等の種々の形状があり得るが、角筒状よりも円筒状である方が、廃材が引っ掛かったりし難い点で有利である。
【００３１】
ポット状凹部２４の内径（開放端の穴の直径）や深さは、適宜、選別したい廃材のサイズに合わせて定めればよいが、建築廃材Ｗを直径５０〜４００ｍｍ程度の間でオーバーサイズ廃材Ｗｏとアンダーサイズ廃材Ｗｕとに選別するのであれば、これと同程度かこれよりも一回り大きくして、内径及び深さを５０〜４５０ｍｍ程度の間とすればよい。一回り大きくした方が、ポット状凹部２４にアンダーサイズ廃材Ｗｕが収まり易い場合もあるからである。例えば、直径１００ｍｍを超える建築廃材Ｗをオーバーサイズ廃材Ｗｏとし、直径１００ｍｍ以下の建築廃材Ｗをアンダーサイズ廃材Ｗｕとして選別したいのであれば、ポット状凹部２４の内径及び深さを１１０ｍｍ程度とすればよい。
【００３２】
円筒形ドラム２０の回転方向前方の下部にはオーバーサイズ用排出口２６が設けられており、オーバーサイズ用排出口２６は受け板２６ｂと排出孔２６ａとからなっている。また、円筒形ドラム２０の直下にはアンダーサイズ用排出口２８が設けられており、アンダーサイズ用排出口２８は受け板２８ｂと排出孔２８ａとからなっている。これにより、ポット状凹部２４に収まらなかったオーバーサイズ廃材Ｗｏは、円筒形ドラム２０の上を滑ってオーバーサイズ用排出口２６の受け板２６ｂで受けられて、排出孔２６ａから排出されるようになる一方、ポット状凹部２４に収まったアンダーサイズ廃材Ｗｕは、ポット状凹部２４に収まったまま、円筒形ドラム２０が略半回転してポット状凹部２４の開放端が略下方に向いた処で、ポット状凹部２４から落下乃至滑落し、アンダーサイズ用排出口２８の受け板２８ｂで受けられて、排出孔２８ａから排出されるようになっている。
【００３３】
また、円筒形ドラム２０の回転方向後方の上部には、建築廃材Ｗを供給するためのフィーダ３０が設けられている。フィーダ３０は供給量調節箱３２と開閉扉３４を有しており、トラックＴから大量に供給される建築廃材Ｗを一時的に供給量調節箱３２で受けてから開閉扉３４の開閉により供給量の調節を行い得るようになっている。
【００３４】
次に、本発明の第２の態様の選別システムで用いられる粗選機について図３に基づいて説明する。図中、符号４ｂは幅選別型粗選別機である。幅選別型粗選別機４ｂは、架台５８を備え、架台５８に以下の各部材が固定されている。幅選別型粗選別機４ｂは、長尺円柱５０ａ，５０ｂ，５０ｃを備え、この長尺円柱５０ａ，５０ｂ，５０ｃは、長手方向の一端から他端に向けて下方に傾斜にしつつ扇状に拡がるように配置され且つ回転自在に軸支されており、夫々が長手方向の一端に取り付けられたモータＭ１，Ｍ２，Ｍ３により回動されるようになっている。長尺円柱５０ａ，５０ｂ，５０ｃのうち両側端に位置する長尺円柱５０ａ，５０ｃに沿って、ガイド側板５２ａ，５２ｂが上方に立設されており、選別される廃材が飛び散らないようになっている。
【００３５】
長尺円柱５０ａ，５０ｂ，５０ｃ同士の間隙は、適宜、選別したい廃材のサイズに合わせて定めればよいが、建築廃材Ｗを直径５０〜４００ｍｍ程度の間でオーバーサイズ廃材Ｗｏとアンダーサイズ廃材Ｗｕとに選別するのであれば、間隙も最大に開く部分を同程度の５０〜４００ｍｍ程度の間とすればよい。例えば、直径１００ｍｍを超える建築廃材Ｗをオーバーサイズ廃材Ｗｏとし、直径１００ｍｍ以下の建築廃材Ｗをアンダーサイズ廃材Ｗｕとして選別したいのであれば、長尺円柱５０ａ，５０ｂ，５０ｃ同士の間隙も最大に開く部分で１００ｍｍ程度とすればよい。
【００３６】
長尺円柱５０ａ，５０ｂ，５０ｃの他端（モータＭ１，Ｍ２，Ｍ３が取り付けられている端と反対側の端）の外方部分は、ガイド側板５２ａ，５２ｂの端部と排出案内板５４ａによってオーバーサイズ用排出口５４とされ、また、長尺円柱５０ａ，５０ｂ，５０ｃの下方には、排出孔５６ａと受け板５６ｂとからなるアンダーサイズ用排出口５６が配置されている。これにより、長尺円柱５０ａ，５０ｂ，５０ｃ同士の間隙から落下しなかったオーバーサイズ廃材Ｗｏはガイド側板５２ａ，５２ｂの端部と排出案内板５４ａで案内されてオーバーサイズ用排出口５４から排出される一方、長尺円柱５０ａ，５０ｂ，５０ｃ同士の間隙から落下したアンダーサイズ廃材Ｗｕは受け板５６ｂで受けられて排出孔５６ａから排出されることとなる。
【産業上の利用可能性】
【００３７】
上記実施の形態では、主に建築廃材を選別する場合を説明したが、本発明の粗選別機であるポット型粗選別機４ａ及び幅選別型粗選別機４ｂは、建築廃材以外の粗選別にも適用できる。
【図面の簡単な説明】
【００３８】
【図１】本発明の建築廃材の選別システムの全体的構成の概略説明図である。
【図２】本発明の選別システムで用いる粗選別機であって、第１の態様のポット型粗選別機を示す概略説明図であり、（ａ）はその平面図、（ｂ）はその側面図である。
【図３】本発明の選別システムで用いる粗選別機であって、第２の態様の幅選別型粗選別機を示す概略説明図であり、（ａ）はその平面図、（ｂ）はその側面図である。
【符号の説明】
【００３９】
２：本発明の選別システム、４：粗選別機、４ａ：ポット型粗選別機、４ｂ：幅選別型粗選別機、５：受けホッパー、６：サイズ選別機（トロンメル選別機）、８，１８：比重差選別機、９，１９：粒径選別機、１１，１２：磁力選別機、１５：集塵機、１６：破砕機、２０：円筒形ドラム、２２：回転軸、２４：ポット状凹部、２６：オーバーサイズ用排出口、２６ａ：排出孔、２６ｂ：受け板、２８：アンダーサイズ用排出口、２８ａ：排出孔、２８ｂ：受け板、３０：フィーダ、３２：供給量調節箱、３４：開閉扉、５０ａ，５０ｂ，５０ｃ：長尺円柱、５２ａ，５２ｂ：ガイド側板、５４：オーバーサイズ用排出口、５４ａ：排出案内板、５６：アンダーサイズ用排出口、５６ａ：排出孔、５６ｂ：受け板、５８：架台、Ａ１，Ａ２：エプロンコンベア、Ｂ１，Ｂ２，Ｂ３，Ｂ４，Ｂ５，Ｂ６，Ｂ７，Ｂ８：ベルトコンベア、Ｃ１，Ｃ２：コンテナ、Ｄ１，Ｄ２，Ｄ３：ダスト、Ｍ１，Ｍ２，Ｍ３：モータ、Ｓ１，Ｓ２，Ｓ３，Ｓ４，Ｓ５，Ｓ６，Ｓ７，Ｓ８：ストックヤード、Ｔ：トラック、Ｗ：建築廃材、Ｗｏ：オーバーサイズ廃材、Ｗｔ：一時保管廃材、Ｗｕ：アンダーサイズ廃材、Ｗｕ１：第１アンダーサイズ廃材、Ｗｕ１１：重量物、Ｗｕ１２：軽量物、Ｗｕ１２１：大粒径物、Ｗｕ１２２：小粒径物、Ｗｕ１３：微細物、Ｗｕ２：第２アンダーサイズ廃材、Ｗｕ２１：重量物、Ｗｕ２２：軽量物、Ｗｕ２２１：大粒径物、Ｗｕ２２２：小粒径物、Ｗｕ２３：微細物。
【図１】
2005279568.tif 000003
【図２】
2005279568.tif 000004
【図３】
2005279568.tif 000005